(57)【要約】【目的】  従来の仕掛巻は、釣り糸を巻き付ける所が板体であり、その端辺の切込みで釣り糸が強く折曲させられ折れ癖が残って、海中にて光の屈折率が変わるから光感覚の鋭い烏賊は敏感に察知して「イカの乗りが悪く」なってしまったり、他の仕掛けと共に長い疑似餌針複数本の収容には全く適していなかった。【構成】  円筒体１に、その長さ方向に沿って釣り糸２に繋がる多数の烏賊用擬似餌針３を、円筒体１の周囲に針先４の向きを同じくして添着する烏賊用擬似餌針３の両端部を夫々挟着保持する多数の平行な縦細溝５を周囲に有した複数の溝付鍔部６を設け、添着する烏賊用擬似餌針３のハリス取付端７側の溝付鍔部６の外隣に、段差を有した釣り糸巻付部８を有する鍔部９を設けて成る烏賊用仕掛巻とした。好ましくは材質をポリオレフィン系樹脂発泡体とする。【選択図】      図１
2005312420.tif 000002
【特許請求の範囲】
【請求項１】
全体を円筒体（１）とし、その長さ方向に沿って釣り糸（２）に間隔をおいて繋がる多数の烏賊用擬似餌針（３）を、上記円筒体（１）の周囲に、針先（４）の向きを同じくして添着できるように上記烏賊用擬似餌針（３）の両端部をそれぞれ挿入して挟着保持する多数の互いに平行な縦細溝（５）を周囲に有した複数の溝付鍔部（６）を設け、添着する上記烏賊用擬似餌針（３）のハリス取付端（７）側の溝付鍔部（６）の外隣には上記釣り糸（２）を捲き付けるための釣り糸巻付部（８）を有する鍔部（９）を設けて成る烏賊用仕掛巻。
【請求項２】
円筒体（１）の周囲に添着させる烏賊用擬似餌針（３）が、その長さが異なる種類ものを併用するものとして溝付鍔部（６）を付加させた請求項１記載の烏賊用仕掛巻。
【請求項３】
釣り糸巻付部（８）を、釣り糸（２）を捲きつける時の長さ調整用に、段差を有した請求項１又は請求項２記載の烏賊用仕掛巻。
【請求項４】
少なくとも、溝付鍔部（６）の材質が、弾性の発泡性合成樹脂製である請求項１乃至請求項３のいずれかに記載の烏賊用仕掛巻。
【請求項５】
材質が弾性の発泡性合成樹脂製とは、ポリオレフィン系樹脂発泡体である請求項４記載の烏賊用仕掛巻。
【発明の詳細な説明】
【技術分野】
【０００１】  この発明は、釣り糸である幹糸とそれに繋がるハリスと疑似餌針等を巻き付けて、携帯又は保管するのに用いる仕掛巻であり、特に大きく長い疑似餌針で、しかもその疑似餌針を幾つも繋げる烏賊釣り用の仕掛巻に関するものである。
【背景技術】
【０００２】  一般に用いられている釣り仕掛け類の収容保管には、梯子状とか太鼓状の巻取り具を用いていた。しかし、烏賊釣り用の仕掛はイカ角・プラ角・スッテと呼ばれる疑似餌針５〜１０数本を、幹糸に枝状又は直列に約１ｍ間隔に取付けたものであるから、非常に長くなり、それだけに烏賊釣り用仕掛けをコンパクトに纏めて整理するのが大変であった。
そこで、一般的に用いる従来の烏賊釣り仕掛巻には、大き目に切った発泡スチロールや段ボール紙を用いて、疑似餌針の針先を柔らかな発泡スチロール面や段ボール紙の側面の穴に挿し掛けて、疑似餌針と釣り糸を交互に巻き付けているようにしていた。【０００３】  しかしながら、上記の仕掛巻では、いずれも釣り糸に装着されている仕掛を、安定した状態で保持させることが難しい問題が多々あるのが実情であった。
すなわち、釣り糸である幹糸には、ハリス、疑似餌針、連結金具（ヨリモドシ）が繋がっているから、釣り糸を上記の仕掛巻に巻き付けると、これらが飛び出した不安定な状態となって、他の釣り道具と一緒に収容した場合は、絡まったり互いに擦れ合って損傷しやすいなどの欠点があったのである。【０００４】  したがって、当然ながらこれらを解決しようとする先行技術がある。例えば、耐水性を考慮してプラスチック製段ボールの方形板上の一端近辺に、方形板を横断する長さで上部に直状とＶ字状の切込みを有する疑似餌針の隠れる高さのある弾力性のスポンジ状ゴムの素材を貼着させて、この切込み等の近くに疑似餌針が来るように釣り糸を挟んで固定する考案の名称「イカ釣仕掛の仕掛巻」というものがある（例えば。特許文献１参照。）。【０００５】  また、長方形基板とその裏側に貼り付けた軟質板とで成り、両者の相対する端辺にはＶ字状の切込みを有したものとし、基板の中央には数個の短冊片を円形に取付けて、釣り糸はこの基板と数個の短冊片との隙間にぐるぐる巻いて疑似餌針が近くなったらＶ字切込みを経て裏側の軟質板に針先を刺して固定するように、釣り糸と疑似餌針を完全に分離した考案の名称「イカヅノ仕掛け巻き器」というものがある（例えば。特許文献２参照。）。【０００６】  更に、上記の２例に似た形状の基盤ではあるが、疑似餌針の針先を何回も刺し繰り返すことによって基盤が破損しないように、刺しやすく、外れ難く、刺した部分の型崩れが少ない性質のあるポリオレフィン系樹脂発泡体を採用した考案の名称「イカ釣仕掛巻」というものがある（例えば。特許文献３参照。）。【０００７】  また、適度な柔軟性と必要な強度を得る上で、発泡倍率を１０〜５０倍としたポリオレフィン系樹脂発泡体を素材に採用したもので、平板状でなく円若しくは楕円の柱状か盤状としたものがある。これは、釣り糸をその周面上にぐるぐる巻きにし、その周面を横断する切込みか凹凸を周方向に間隔をあけて多数形成させてあり、釣り針は周面上の適当な所に刺し、小さな仕掛けは切込みに、大きな仕掛けは凹部に挿し込むようにした発明の名称「釣り糸用巻き芯」というものがある（例えば。特許文献４参照。）
【特許文献１】実登３０９２４２８号公報（
【０００５】、図１）
【特許文献２】実登３０７９５２１号公報（
【０００４】、図１）
【特許文献３】実登３０８５６３２号公報（
【手続補正１】
の
【０００４】）
【特許文献４】特開２０００−３０８４５０号公報（
【０００５】、
【０００６】、図１、図３、図６）
【発明の開示】
【発明が解決しようとする課題】
【０００８】  上記の各特許文献においては、或る程度、ハリスや疑似餌針と幹糸との絡み防止の目的を果してはいるが、特許文献１から特許文献３のものは、釣り糸を巻き付ける所が長方形の板体としているために、板体の端辺の切込み部分で、釣り糸が強く反対方向へ折曲させられることになるから折れ癖が残ってしまい、海中に入った時にこの部分の光の屈折率が変わってしまう。
それ故、光に対する応答感覚の鋭い烏賊は、敏感に察知して所謂「イカの乗りが悪く」なってしまう欠点があったのである。【０００９】  その点、特許文献４は、釣り糸が全長にわたって円形に巻かれることになるから問題はないのだが、これは烏賊釣り用に考えられたものではないようで、長い疑似餌針の収容、それも幾本もの収容には全く適していない。
また、その本体の形状が円柱状か円盤状であって、たとえその周面の中央部が両側部からなだらかに窪んだ形にして巻いた釣り糸を外れ難くしても、本体が柔軟性のあるポリオレフィン系樹脂発泡体を採用しているから、釣り糸を捲き付ける際に握ることにより変形し、部分的に釣り糸が緩んだ所を生じて外れる箇所を生ずる虞がある。【００１０】  この発明は、釣り糸である幹糸の全長にわたって折り曲げずに、なだらかな曲線状に捲き付け得ること。長く大きい烏賊用の疑似餌針を幾本も収納し得て、しかも他の仕掛けも収容できるようにした烏賊用仕掛巻を提供しようとするものである。
【課題を解決するための手段】
【００１１】  この発明の基本的な構成を図１、図２及び図３に基づいて説明する。
全体を円筒体１とし、その長さ方向に沿って釣り糸２である幹糸やハリスに、間隔をおき繋がる多数の烏賊用擬似餌針３を、円筒体１の周囲に針先４の向きを同じくして添着できるよう烏賊用擬似餌針３の両端部をそれぞれ挿入して挟着保持する多数の縦細溝５を有した複数の溝付鍔部６を設ける。この溝付鍔部６は、図１のものは３ヶ所あり、図２及び図３では２ヶ所とした。【００１２】  ところで、釣り上げる烏賊の種類によっては、烏賊用擬似餌針３の長さや太さが大きく異なるので、当然ながら烏賊用擬似餌針３の長さに応じて溝付鍔部６の配置をする必要がある。そして、時には長短両者の烏賊用擬似餌針３を同時に併用する場合もあるから、図１のように溝付鍔部６を付加させ３ヶ所としたものも必要となるのである。【００１３】  なお、それぞれの溝付鍔部６は同じ形状でよく、その縦細溝５は、それぞれ溝付鍔部６の周囲に互いに平行状に多数設けている。そして、添着させる烏賊用擬似餌針３のハリス取付端７側の溝付鍔部６の外隣には、釣り糸２を捲き付けるための釣り糸巻付部８を有するための鍔部９を設けて成る烏賊用仕掛巻とした。【００１４】  上記において、釣り糸巻付部８を、釣り糸２を捲きつける際の烏賊用擬似餌針３の収容に伴う釣り糸２の長さ調整用のために、段差を有して弛み発生防止とするのが好ましい。
こうすることによって、烏賊用擬似餌針３を縦細溝５へ装着する際に、その部分の幹糸やハリスである釣り糸２の長さにより、段差の高低いずれかの釣り糸巻付部８を選択することによって円周の長さが異なるから、釣り糸２の長さの調整が可能になるのである。【００１５】  材質については、海中に落としても沈まないように、木製とか比重の小さい合成樹脂製を採用すべきだが、烏賊用擬似餌針３の抜き差しや、その針先４の刺し込みの保持性のために、少なくとも溝付鍔部６の材質が、軟質の木製とか弾性のある発泡性合成樹脂製であることが望まれる。
勿論、烏賊用仕掛巻全体を、同じ木製とか弾性の発泡性合成樹脂製としても構わない。【００１６】  更に、弾性のある発泡性合成樹脂を採用した場合は、その発泡性合成樹脂自体を、烏賊用擬似餌針３の針先４が刺しやすく、しかも外れ難く、刺した部分の型崩れが少ない等の性質のある適度な発泡倍率で成るポリオレフィン系樹脂発泡体を採用した烏賊用仕掛巻とすることが好ましい。
【発明の効果】
【００１７】  この発明は、以上詳記したように、釣り糸２を捲き付ける所である釣り糸巻付部８が円筒であるから、釣り糸２の全長にわたって折れ曲がることがないので、海中に入っても光の屈折率が変わる部分がなく、光に対する応答感覚の鋭い烏賊でも「イカの乗りが悪く」なってしまうような虞がなくなったのである。
勿論、木製とか発泡状の合成樹脂製を採用するから海中に落としても沈まない。【００１８】  また、幾つかの長くて大きな烏賊用擬似餌針３の収容であっても、少なくとも溝付鍔部６の材質を弾性のある腰の強い発泡性合成樹脂製とすれば、烏賊用擬似餌針３の縦細溝５の抜き差しや、その針先４の刺し込みの保持性が格段とよくなるし、針先４が溝付鍔部６の面部に突き刺さっているから外れ難くなった。
加えて、烏賊用擬似餌針３の両端部を縦細溝５で挟持するから、針先４の突き刺しの功と相俟って、烏賊用擬似餌針３が外れて他と接触したりする心配や、外れて手指を傷つける危険は完全になくなったと言える。【００１９】  それに、同じような溝付鍔部６を増加さえすれば、烏賊用擬似餌針３の長さや太さが異なった種類の烏賊用擬似餌針３でも、同時に収容できるから便利である。
加えて、この発泡性合成樹脂を、具体的にはポリオレフィン系樹脂発泡体とすれば、より確実に烏賊用擬似餌針３の針先４が刺しやすく、しかも外れ難く、数多くの繰り返しの突き刺しであっても刺した部分の型崩れが少なく、長期に亘って使用が可能となる性質を得られることが出来るようになる。【００２０】  更に、釣り糸巻付部８に段差があることにより、烏賊用擬似餌針３を縦細溝５へ装着する際に、その部分の釣り糸２である幹糸とハリスの長さによって、釣り糸巻付部８の高低いずれかの段差を選択することができるから、釣り糸２の長さの調整が可能となり、釣り糸２全長のどの部分にも弛みを生ずることなく、確りと捲き付けることができるようになったのである。
また、釣り糸２の末尾であるスナップ付きヨリモドシ（撚り戻し）１４に輪ゴムを結びおけば、その輪ゴムを釣り糸巻き部８にくぐらせて、釣り糸２の末尾留めとすることができる。なお、連結金具などの仕掛け類はこの釣り糸巻付部８に十分収容できる。【００２１】  また、烏賊釣りの際、この発明の烏賊用仕掛巻から釣り糸２を解く時は、図４に示すような単純な形状の丸棒体１０を用いることによって、簡単に巻戻しができるようになる。
すなわち、直状の丸棒体１０には鍔１１を介して把持部１２があり、この丸棒体１０をこの発明の烏賊用仕掛巻に用いる時は、円筒体１の中心を貫通している透孔１３内に挿入して、釣り糸２の末尾のスナップ付きヨリモドシ１４を引き出せば、烏賊用仕掛巻が回転して解けるから、釣り糸２に撚りが掛らないでスムーズに解けていけるようになる。
【発明を実施する為の最良の形態】
【００２２】  この発明の基本的な最良の形態は、図３に示したような形状のもので、全体を円筒物体から形成して完成させることになる。
また、この発明を実施するに当たりその素材の性質も重要な事項であり、現在では前記した理由でポリオレフィン系樹脂発泡体を採用したい。また、この素材の採用部分は少なくとも針先４を刺したり烏賊用擬似餌針３の両端部を挟持する複数の溝付鍔部６であって他の部分は他の材質でも構わないことは前述した通りである。
【００２３】  ところが、このポリオレフィン系樹脂発泡体は、他の材質のものとは接着し難い欠点があるので、勢い全体を同質のこのポリオレフィン系樹脂発泡体で形成することになる。
また、現状では、ポリオレフィン系樹脂発泡体は、一般的に押し出し成型でパイプ状に製造されるので、入手のためには太さの異なるパイプ状物を夫々の長さや幅に切断し、これらを嵌め、接着剤で固着して形成させることになる。発明者は、試作時において、これを入手のために凍結防止用に用いられている水道管用のもので作成したのである。
【００２４】  つまり、図３における上方の溝付鍔部６に描いた点線の部分が円筒体１の断面そのものであり、この円筒体１の上に、より太いパイプ状の発泡体を切断して、上下２つの溝付鍔部６とすべく夫々適所に嵌め接着することになる。
そして、十分に固着したことを確かめた後に、縦細溝５を、切り込むなり、熱したもので溶かすなりして形成させるのである。釣り糸巻付部８の段差部や鍔部９も同様である。
勿論、長さや太さが異なる種類の烏賊用擬似餌針３を同時に収容できるように、図１に示したように溝付鍔部６を増加させれば、より好ましいものとなる。
【実施例１】
【００２５】  図３に示したものは、図２に描いたように、ヤリイカ専用の長さが１１０ｍｍ程ある烏賊用擬似餌針３を収容するための烏賊用仕掛巻である。
そして、素材としては全体についてポリオレフィン系樹脂発泡体を採用した。その製作方法は前項で述べたものと同じであるから寸法のみを記載して他の説明は省略する。【００２６】  ここでは、ヤリイカ用である太さ３ｍｍ、長さが１１０ｍｍの烏賊用擬似餌針３用のものとし、それを１０本収容可能として均等間隔に保管できるものとして説明する。
先ず、円筒体１は、透孔１３の直径が２８ｍｍで、外径が４８ｍｍ、全長を１５０ｍｍとした。２つの溝付鍔部６は、内径は円筒体１に嵌めるよう４８ｍｍで、外径を６８ｍｍとし、幅を１５ｍｍとした。【００２７】  そして、１つの溝付鍔部６を円筒体１の一端部に位置させ、もう１つの溝付鍔部６を、２つの溝付鍔部６の間が７７ｍｍ程度になる所に位置決めして、接着はポリエチレン用接着剤を用い固着させ、乾燥固着後に円周を１０等分に、幅を２ｍｍ程度で深さ８ｍｍ程度のＵ字状底の縦細溝５を設けた。【００２８】  なお、図示した縦細溝５は全てＵ字状底として描いたが、Ｕ字状の底にこだわることはなく、単なるコ字状底でもよい。好ましくは、底を○状とし、そこまでの切り込み幅は、○状底よりも狭い平行面とすれば、弾性ある平行な両面が互いに内方へ傾き、烏賊用擬似餌針３を挟圧するようになる利点を生ずるようになる。尤もこれらの慣用手段でこの発明が限定されるものではない。【００２９】  なお、鍔部９の直径は、溝付鍔部６と同じ程度とし、幅は１０ｍｍとしたので釣り糸巻付部８の幅は３３ｍｍとなり、その周面は円筒体１の外周面そのものである。
また、段差は３ｍｍ程度とし、一方の幅を１０ｍｍとした。
【実施例２】
【００３０】  寸法は実施例１と同様とし、材質としては木材を、しかも柔らかな杉を採用して作成したところ、釣り糸巻付部８への釣り糸２の捲き付けには何の差もなかったが、やはり、烏賊用擬似餌針３の収容にはやや不満を感じた。
つまり、溝付鍔部６に弾性が不足するから、縦細溝５の幅を烏賊用擬似餌針３の太さに的確に合わせる必要があるし、針先４も溝付鍔部６の面部に突き刺さり難いので安定感に不安が残る欠点があった。やはり、少なくとも溝付鍔部６の材質は、弾性のある発泡性合成樹脂製であることが望まれる。
【実施例３】
【００３１】  実施例３としては、図１に示したもので長さや太さの異なる烏賊用擬似餌針３であるヤリイカ用とスッテとの併用ものとした。
すなわち、図３のものに、同じ寸法の溝付鍔部６を追加させたものであって、スッテである図示中央の短く太い烏賊用擬似餌針３の長さに合致する位置に、溝付鍔部６を１ヶ所増加したものである。【００３２】  図１においては、スッテの針先４がその追加した溝付鍔部６の上面部に突き刺さっているように示してあるが、この位置でなく、他の烏賊用擬似餌針３である長いヤリイカ用の針先４が突き刺さっている最上部の溝付鍔部６の上面部に統一してもよい。この場合は、当然ながら寸法上にて追加する溝付鍔部６の位置を下方に変更することになる。【００３３】  ところで、追加した溝付鍔部６の存在によって、ヤリイカ用の烏賊用擬似餌針３は、３ヶ所で縦細溝５に挟持されることになるから、追加の溝付鍔部６の幅は他のものよりも狭いものであっても構わない。
また、この溝付鍔部６は円筒体１に接着せずに軸線方向へ移動可能にしておけば、色々な短い烏賊用擬似餌針３の収容に対応が容易になろう。【００３４】  他の実施例としての寸法は、烏賊用擬似餌針３の大きさで異なり、ケンサキイカ用なら７０ｍｍ、スルメイカ用なら１４０〜１８０ｍｍとすればよい。
また、これらよりもずんぐりと太い魚形をしたスッテ類も含めて、それらに合うように設計すれば専用品となり、それらの併用品なら、実施例３のように任意に設計すればよいのである。なお、溝付鍔部６の追加の数とか円筒体１上の配置する位置によってこの発明が限定されるものではないことは言うまでもなかろう。【００３５】  前述の溝付鍔部６に木材を採用したものは、針先４が突き刺さり難いので安定感に不安が残ると述べたが、これを少しでも解消するために、図示省略したが、溝付鍔部６の面部（図１〜図３の透孔１３のある面）に、所謂「ゴム板磁石」を貼着させるもよい。こうすれば、磁力で針先４を吸着するし、ゴム状面の摩擦も加わり多少はよくなる。
この場合、ゴム板磁石は厚さ１ｍｍ程度の平板状のものを採用し、縦細溝５の部分は切除しておくことは言うまでもない。【００３６】  また、前述の実施例においての溝付鍔部６や鍔部９の形状は、図示したものと共に全て円形として説明してきたが、平地に置いた時の転がり防止のために、いずれかを多角形にすることもよいだろう。
更に、この発明の烏賊用仕掛巻から釣り糸２を、図４のような丸棒体１０を用いて解く際に、解く早さを調整できるよう、丸棒体１０を把持する手の親指で鍔部９の周面に触れてブレーキを掛け得るように、鍔１１の直径を鍔部９よりも小さめにしておくとよい。【００３７】  なお、前述したこの発明に採用する素材がポリオレフィン系樹脂発泡体である場合においては、将来金型を用いた一体成型が出来るようになったら、当然その方がコスト低減となるであろうから、その製造方法を採用することになるものである。
【図面の簡単な説明】
【００３８】
【図１】  この発明の実施例にて使用状態で示す斜視図である。（実施例３）
【図２】  この発明の他の実施例にて使用状態で示す斜視図である。（実施例１）
【図３】  この発明の実施例を示す斜視図である。（実施例１）
【図４】  この発明に付属して用いて便利な丸棒体を示す側面図である。
【符号の説明】
【００３９】１  円筒体
２  釣り糸
３  烏賊用擬似餌針
４  針先
５  縦細溝
６  溝付鍔部
７  ハリス取付端
８  釣り糸巻付部
９  鍔部
【図１】
2005312420.tif 000003
【図２】
2005312420.tif 000004
【図３】
2005312420.tif 000005
【図４】
2005312420.tif 000006